(57)【特許請求の範囲】
【請求項１】
発射装置によって打ち込まれた遊技球を遊技領域の上方へ導くためのガイドレールが遊技盤に設置されているとともに、打ち込まれた遊技球をはね返すための返し部材が、前記ガイドレールの先端縁際に設置されたパチンコ機であって、
前記ガイドレールの先端縁際に、装飾部材が設置されており、その装飾部材の裏面に、前記遊技盤に対して直交するように係止ピンが立設されているとともに、その係止ピンを挟むように一対の規制壁が略平行に立設されている一方、
前記返し部材が、表面から裏面へ貫通した円柱状の係止孔を設けたものであり、前記一対の規制壁の間に嵌め込まれ前記係止孔に前記係止ピンを挿通させた状態で設置されているとともに、
前記返し部材の先端面が、隣接した前記ガイドレールの接線と直交した状態になっていることを特徴とするパチンコ機。
【請求項２】
前記返し部材と少なくとも片方の規制壁との間の所定の大きさの間隙が形成されていることを特徴とする請求項１に記載のパチンコ機。
【請求項３】
前記装飾部材の裏面に柱状ボスが立設されており、
前記返し部材が、基端に形成された切り欠きを前記柱状ボスに係合させた状態で設置されていることを特徴とする請求項１又は２に記載のパチンコ機。
【発明の詳細な説明】
【技術分野】
【０００１】
本発明は、パチンコ機に関するものである。
【背景技術】
【０００２】
通常のパチンコ機は、発射装置によって打ち込まれた遊技球を遊技領域の上方へ導くためのガイドレールが遊技盤に設置されているとともに、そのガイドレールの先端縁際に、強く打ち込まれた遊技球をはね返すための返し部材（返しゴム）が設置されている。また、パチンコ機の中には、所定のタイミングで遊技球を遊技領域の右サイドに強く打ち込むことによって特典が得られるように構成された所謂“右打ち”タイプのパチンコ機がある。かかる右打ちタイプのパチンコ機は、返しゴムに対向する位置に複数の障害釘が並べて設置されており、それらの障害釘によって、返しゴムで跳ね返された遊技球を下方へ落下させることにより、遊技球が遊技領域の左サイドを流下しないように構成されている。
【０００３】
ところが、そのような返しゴムと対向する位置に障害釘を並べて設置した右打ちタイプのパチンコ機においては、長期間に亘って使用すると、返しゴムによって跳ね返された遊技球を受ける障害釘が損傷してしまうことがあった。それゆえ、右打ちタイプのパチンコ機の中には、特許文献１の如く、返しゴムによって跳ね返された遊技球を所定の方向へ誘導するための誘導部材を設置したものもある。
【０００４】
【特許文献１】特開平８−３２２９８８号公報
【発明の開示】
【発明が解決しようとする課題】
【０００５】
しかしながら、上記の如く誘導部材を設置したパチンコ機は、誘導部材を設置するために盤面上に大きなスペースが必要とされる上、誘導部材に衝突した後の遊技球の流下方向が一定のものとなり易いため、遊技内容が限定されてしまう、という不具合がある。また、誘導部材そのものが損傷してしまう、という不具合もある。
【０００６】
本発明の目的は、上記従来のパチンコ機が有する問題点を解消し、長期間に亘って遊技球が返し部材に衝突し続けた場合でも、返し部材と隣接した障害釘や遊技部材が損傷しにくい上、返し部材に衝突した後の遊技球の落下方向を制限せず、遊技内容をバラエティに富んだものとすることが可能なパチンコ機を提供することにある。
【課題を解決するための手段】
【０００７】
本発明の内、請求項１に記載された発明は、発射装置によって打ち込まれた遊技球を遊技領域の上方へ導くためのガイドレールが遊技盤に設置されているとともに、打ち込まれた遊技球をはね返すための返し部材が、前記ガイドレールの先端縁際に設置されたパチンコ機であって、前記ガイドレールの先端縁際に、装飾部材が設置されており、その装飾部材の裏面に、前記遊技盤に対して直交するように係止ピンが立設されているとともに、その係止ピンを挟むように一対の規制壁が略平行に立設されている一方、前記返し部材が、表面から裏面へ貫通した円柱状の係止孔を設けたものであり、前記一対の規制壁の間に嵌め込まれ前記係止孔に前記係止ピンを挿通させた状態で設置されているとともに、前記返し部材の先端面が、隣接した前記ガイドレールの接線と直交した状態になっている（すなわち、返し部材の先端面とガイドレールによって形成される円弧の中心とが略同一面上に位置するようになっている）ことを特徴とするものである。なお、本発明において、返し部材の先端面が隣接したガイドレールの接線と直交であるとは、返し部材の先端面とガイドレールの接線とのなす角度が９０°±１０°程度の範囲内であることを意味する。
【０００９】
請求項２に記載された発明は、請求項１に記載された発明において、前記返し部材と少なくとも片方の規制壁との間の所定の大きさの間隙が形成されていることを特徴とするものである。
【００１０】
請求項３に記載された発明は、請求項１又は２に記載された発明において、前記装飾部材の裏面に柱状ボスが立設されており、前記返し部材が、基端に形成された切り欠きを前記柱状ボスに係合させた状態で設置されていることを特徴とするものである。
【発明の効果】
【００１１】
請求項１に記載のパチンコ機は、返し部材の先端面がガイドレールの接線（返し部材の先端面と隣接した部分の接線）と直交した状態になっており、打ち込まれた遊技球が返し部材に衝突する際に、遊技球を入射方向に近い方向に跳ね返すことができるので、遊技球による衝撃を非常に効果的に低減することができる。また、遊技球を入射方向に近い方向に跳ね返すので、跳ね返った遊技球が同じ障害釘や遊技部材に当たり続けるという事態が生じない。したがって、長期間に亘って使用される場合でも、返し部材と隣接した障害釘や遊技部材を効果的に防止することができる。
【００１２】
また、請求項１に記載のパチンコ機は、返し部材が装飾部材に立設された内側規制壁と外側規制壁との間に嵌め込まれているため、返し部材の先端面に遊技球が衝突する際に、遊技球の入射方向に対する返し部材の先端面の角度が一定の範囲内に制限され、遊技球を入射方向に非常に近い方向に跳ね返すことができるので、遊技球による衝撃をきわめて効果的に低減することができる。
【００１３】
請求項２に記載のパチンコ機は、返し部材と規制壁との間の間隙によって、返し部材の先端面に遊技球が衝突する際の変形を吸収することができる上、返し部材の先端面が係止ピンを中心としてわずかに回動することができるので、遊技球による衝撃をきわめて効果的に低減することができる。
【００１４】
請求項３に記載のパチンコ機は、返し部材が基端の切り欠きを装飾部材の柱状ボスに係合させた状態で設置されており、返し部材の先端面に遊技球が衝突する際に、遊技球の入射方向に対する返し部材の先端面の角度が大きく変動せず、遊技球を入射方向と略同じ方向に跳ね返し続けるので、遊技球による衝撃をきわめて効果的に低減することができる。加えて、返し部材の先端面に遊技球が衝突する際の衝撃が、柱状ボスにも加わり、係止ピンに集中的に加わるという事態が生じないので、係止ピンの損傷を非常に効果的に防止することができる。
【発明を実施するための最良の形態】
【００１５】
以下、本発明のパチンコ機について、図面にしたがって詳細に説明する。図１は、本発明に係るパチンコ機を示したものであり、パチンコ機１は、機枠２の片側縁に、前面枠３が開閉自在に蝶着されており、前面枠３の中央よりやや上側の後方には、遊技盤４が設置されている。図２は、遊技盤４を示したものであり、遊技盤４の表面には、発射装置によって発射された遊技球を遊技盤４の上方まで導くための金属製で帯状のガイドレール８が円弧状に立設されており、当該ガイドレール８によって、略円形の遊技領域１０が区画された状態になっている。
【００１６】
遊技領域１０には、液晶画面を有する図柄表示装置１９が設けられており、その図柄表示装置１９の左右上下の外周を覆うように大型遊技部材３４が設置されている。大型遊技部材３４の上端際には、大入賞口３５が穿設されており、その大入賞口３５の上側には、大入賞口３５を開閉するための板状の扉部材３６が、右上がりに傾斜した状態を保ったまま前後にスライド可能に設けられている。また、大型遊技部材３４の右下方には、入賞口２０が設けられており、その入賞口２０の上側には、入賞口２０を開閉するための板状の開閉扉２３が、右上がりに傾斜した状態を保ったまま前後にスライド可能に設けられている。さらに、大型遊技部材３４の中央の下側には、図柄始動口２１が設けられており、その図柄始動口２１の下側には、電動開閉式入賞装置（所謂、電動式チューリップ）２２が設けられている。また、図柄始動口２１の右側には、遊技球が通過可能なゲート３７が設けられている。加えて、遊技領域１０には、電飾ランプ、風車等が設置されているとともに、多数の障害釘９，９・・等が植設されている。
【００１７】
そして、ガイドレール８の先端（右側上方の部分）と隣接した位置には、装飾部材であるコーナー飾り２４が設置されており、ガイドレール８に沿って右サイドへ跳躍した遊技球をはね返すための返し部材１１が、当該コーナー飾り２４を利用して設置されている。
【００１８】
図２は、返し部材１１の設置部分を示したものであり、図３は、返し部材１１の設置部分の鉛直断面（図２におけるＡ−Ａ線断面）を示したものである。また、図４は、コーナー飾り２４の裏面の様子を示したものである。返し部材１１は、シリコーンゴムによって略直方体状に一体成形されており、表面（前面）と裏面（後面）とが平行になっている。そして、略中央に、円柱状の係止孔１２が、表面側から裏面側へと貫通するように設けられており、当該係止孔１２は、略中央よりも表面側の方が裏面側に比べて大径になっている。なお、大径部１６、小径部１７の内径は、それぞれ、約６．５ｍｍ、約４．５ｍｍになっている。また、返し部材１１の基端には、半円柱状の切り欠き１３が設けられており、内側の側面には、係止用の段差１４が設けられている。一方、外側の側面の先端際には、テーパ面１５が設けられており、他の部分と鋭角をなした状態になっている。
【００１９】
一方、コーナー飾り２４は、合成樹脂によって縦長な長尺状に一体的に形成されている。そして、弓形の表面板２５の左右両サイドに、それぞれ、内側規制壁２６、外側規制壁２７が、後方に突出するように設けられており、断面（長手方向に垂直な断面）がコ字状になっている。また、内側規制壁２６は、ガイドレール８と略同一の曲率半径となるようにカーブしており、その上部においては、外側規制壁２７が略平行に対峙した状態になっている。さらに、表面板２５の裏面の上部には、返し部材１１を固定するための係止ピン２８が突設されている。当該係止ピン２８は、略中央よりも基端側の方が先端側に比べて大径になっており、大径部３１、小径部３２の直径は、それぞれ、約６．０ｍｍ、約４．０ｍｍになっている。その係止ピン２８の下側には、コーナー飾り２４を遊技盤４に設置するための２個の柱状ボス２９，３０が上下に並べて突設されている。各柱状ボス２９，３０は、十字状の断面を有しており、幅と高さとが同一寸法になっている。加えて、外側規制壁２７の外側には、コーナー飾り２４を遊技盤４に当着させるための当着板３３が設けられている。
【００２０】
返し部材１１は、内側規制壁２６と外側規制壁２７との間に嵌め込まれ、段差１４を内側規制壁２６の端縁に係止させ、係止孔１２に係止ピン２８を挿通させた状態で、コーナー飾り２４に装着されている。なお、そのように返し部材１１がコーナー飾り２４に装着されると、返し部材１１のテーパ面１５と内側規制壁２６との間に隙間（テーパ面の先端で約２．０ｍｍの隙間）が形成される。そして、返し部材１１と一体になったコーナー飾り２４は、柱状ボス２９，３０を、遊技盤４に穿設された係合孔（図示せず）内に挿入することによって、ガイドレール８の端縁の下側に位置するように設置されている。そのようにコーナー飾り２４が遊技盤４に設置されると、返し部材１１の先端面が、ガイドレール８の端縁際の接線Ｔと直交した状態（すなわち、ガイドレール８に沿って跳躍してくる遊技球の入射角度と概ね直交した状態）となる（図２参照）。
【００２１】
一方、前面枠３の下側には、遊技球を発射装置（図示せず）へ供給するための供給皿５と、遊技球を貯留させるための貯留皿６とが上下に併設されており、その貯留皿６の右側には、発射装置を操作するための発射ハンドル７が突設されている。
【００２２】
上記の如く構成されたパチンコ機１においては、発射ハンドル７の回動操作によって発射装置（図示せず）から遊技球が発射され、発射された遊技球が図柄始動口２１に入賞した場合に、内部に設置された制御装置（図示せず）において大当たり抽選が実行され、大当たり抽選の結果、「大当たり」になった場合には、「大当たり状態」が生起する。また、遊技球が図柄始動口２１に入賞する毎に、入賞図柄表示装置１９においては所定の時間だけ図柄の変動表示を実行し、当該変動表示の後に「大当たり図柄」あるいは「はずれ図柄」を表示することによって大当たり抽選の結果を表示する。
【００２３】
「大当たり状態」においては、大入賞口３５の扉部材３６が所定回数だけ断続的に開成する（後方へスライドして遊技盤４の内部に没入する）。したがって、遊技者は、「大当たり」が発生した場合には、多くの遊技球を大入賞口３５に入賞させることによって、多くの賞品球を獲得することができる。
【００２４】
また、所定の「大当たり図柄」が表示された後に「大当たり状態」が生起した場合には、「大当たり状態」の終了後に、入賞図柄表示装置１９における図柄の変動表示の時間を所定の回数だけ短縮する「時短状態」が生起する。当該「時短状態」においては、遊技球がゲート３７を通過する毎に、内部の制御装置において当たり抽選が実行され、その当たり抽選において高い確率で小当たりとなり、電動開閉式入賞装置２２が開成する。そして、開成した電動開閉式入賞装置２２に遊技球が入賞した場合に、開閉扉２３が後方へスライドすることによって入賞口２０が開成し、多くの遊技球を入賞させることが可能となる。したがって、遊技者は、「時短状態」が発生した場合には、発射ハンドル７を大きく回動させて遊技球を強く発射することにより（すなわち、“右打ち”することにより）、右サイドの入賞口２０に入賞させることができ、「大当たり状態」の生起によって得られた遊技球の数を大きく変動させることなく遊技を継続させることが可能となる。
【００２５】
そして、そのように遊技者が所謂“右打ち”を実施した場合には、打ち込まれた遊技球が返し部材１１に衝突するが、その際に、返し部材１１は、遊技球を入射方向と略同じ方向に跳ね返して、遊技球による衝撃を非常に効果的に低減する。そのため、返し部材１１と隣接した障害釘９，９・・が損傷する、という事態が起こらない。
【００２６】
パチンコ機１は、上記の如く、返し部材１１の先端面（図３におけるＳ）が、隣接したガイドレール８の接線Ｔと直交した状態になっており、打ち込まれた遊技球が返し部材１１に衝突する際に、遊技球を入射方向に近い方向に跳ね返すことができるので、遊技球による衝撃を非常に効果的に低減することができる。また、遊技球を入射方向に近い方向に跳ね返すので、跳ね返った遊技球が同じ障害釘９や遊技部材に当たり続けるという事態が生じない。したがって、長期間に亘って使用される場合でも、返し部材１１と隣接した障害釘９，９・・や遊技部材の損傷を効果的に防止することができる。
【００２７】
また、パチンコ機１は、返し部材１１がコーナー飾り２４に立設された内側規制壁２６と外側規制壁２７との間に嵌め込まれているため、返し部材１１の先端面に遊技球が衝突する際に、遊技球の入射方向に対する返し部材１１の先端面の角度が一定の範囲内に制限され、遊技球を入射方向に非常に近い方向に跳ね返すことができるので、遊技球による衝撃をきわめて効果的に低減することができる。
【００２８】
さらに、パチンコ機１は、返し部材１１のテーパ面１５と外側規制壁２７との間隙によって、返し部材１１の先端面に遊技球が衝突する際の変形を吸収することができる上、返し部材１１の先端面が係止ピン２８を中心としてわずかに回動することができるので、遊技球による衝撃をきわめて効果的に低減することができる。
【００２９】
加えて、パチンコ機１は、返し部材１１が基端の切り欠き１３をコーナー飾り２４の柱状ボス２９に係合させた状態で設置されており、返し部材１１の先端面に遊技球が衝突する際に、遊技球の入射方向に対する返し部材１１の先端面の角度が大きく変動せず、遊技球を入射方向と略同じ方向に跳ね返し続けるので、遊技球による衝撃をきわめて効果的に低減することができる。さらに、返し部材１１の先端面に遊技球が衝突する際の衝撃が、柱状ボス２９にも加わり、係止ピン２８に集中的に加わるという事態が生じないので、係止ピン２８の損傷を非常に効果的に防止することができる。
【００３０】
なお、本発明のパチンコ機の構成は、上記実施形態の態様に何ら限定されるものではなく、機枠、前面枠、遊技盤、供給皿、貯留皿、発射ハンドル、ガイドレール、返し部材、コーナー飾り（装飾部材）、遊技部材等の形状、構造、材質等の構成を、本発明の趣旨を逸脱しない範囲で適宜変更できる。
【００３１】
たとえば、返し部材は、上記実施形態の如く、シリコーンゴムによって形成されたものに限定されず、合成ゴム、天然ゴム等の他の弾性素材によって形成されたもの等に変更することも可能である。加えて、返し部材を合成ゴムによって形成する場合には、合成ゴムとして、アクリルゴム（ＡＣＭ）、アクリロニトリルブタジエンゴム（ニトリルゴム  ＮＢＲ）、イソプレンゴム（ＩＲ）、ウレタンゴム（Ｕ）、エチレンプロピレンゴム（ＥＰＭ，ＥＰＤＭ）、エピクリルヒドリンゴム（ＣＯ，ＥＣＯ）、クロロプレンゴム（ＣＲ）、シリコーンゴム（Ｑ）、スチレンブタジエンゴム（ＳＢＲ）、ブタジエンゴム（ＢＲ）、ブチルゴム（ＩＩＲ）、フッ素ゴム（ＦＫＭ）等を好適に用いることができる。加えて、合成ゴムや天然ゴム等と他の弾性素材とを組み合わせた複合素材によって、返し部材を形成することも可能である。
【００３２】
また、返し部材は、上記実施形態の如く、コーナー飾りを利用して遊技盤に設置されるものに限定されず、遊技盤に直接的に設置されるものでも良い。さらに、返し部材は、上記実施形態の如く、１つの係止ピンを利用して設置されるものに限定されず、２つ以上の係止ピンを利用して設置されるものでも良い。加えて、返し部材は、上記実施形態の如く、直方体状のものに限定されず、先端面がガイドレールの接線（先端面と隣接した部分の接線）と概ね直交したものであれば、直方体状以外の形状を有するものに変更することも可能である。
【００３３】
一方、コーナー飾りは、上記実施形態の如く、２つの柱状ボスによって遊技盤に設置するものに限定されず、１つあるいは３つ以上の柱状ボスを利用して遊技盤に設置するものでも良い。さらに、コーナー飾りは、上記実施形態の如く、１つの柱状ボスを返し部材の基端に係合させるものに限定されず、２つ以上の柱状ボスを返し部材の基端に係合させるものに変更することも可能である。
【００３４】
また、遊技盤は、上記実施形態の如く、返し部材によって跳ね返された遊技球が種々の方向へ流下するように構成されたものに限定されず、返し部材の近傍に遊技部材（遊技盤面と直交する外周面を有するもの）が設けられており、跳ね返された遊技球の流下方向が一定となるように構成されたものに変更することも可能である。かかる構成を採用した場合には、右打ちタイプのパチンコ機を設計し易くなる、というメリットがある。
【００３５】
加えて、本発明のパチンコ機においては、遊技盤面上の遊技部材や障害釘等のレイアウトも特に限定されないが、上記実施形態の如く、返し部材の先端面と略直交した位置（ガイドレールの内側の部分）に遊技部材や障害釘等を設けないことが望ましい。かかる構成を採用することによって、返し部材の先端面で跳ね返った直後の遊技球が同じ遊技部材や障害釘等に当たり続ける事態が回避されるため、遊技部材や障害釘等の損傷をより高度に防止することが可能となる。
【図面の簡単な説明】
【００３６】
【図１】パチンコ機の正面図である。
【図２】返し部材の設置部分を示す説明図である。
【図３】返し部材の設置部分の鉛直断面（図２におけるＡ−Ａ線断面）を示す説明図である。
【図４】コーナー飾りの裏面の様子を示す説明図である。
【符号の説明】
【００３７】
１・・パチンコ機
４・・遊技盤
７・・発射ハンドル
８・・ガイドレール
１０・・遊技領域
１１・・返し部材
１２・・係止孔
１３・・切り欠き
２４・・コーナー飾り（飾り部材）
２６・・内側規制壁
２７・・外側規制壁
２８・・係止ピン
２９・・柱状ボス
【図１】
0005110648.tif 000002
【図２】
0005110648.tif 000003
【図３】
0005110648.tif 000004
【図４】
0005110648.tif 000005